(57)【特許請求の範囲】
【請求項１】
グレモン錠とグレモン錠取付用の裏板を備え、グレモン錠は、竪框の長手方向中間部に裏板を使用して取付けられるグレモン錠本体と、竪框の小口より竪框内に挿入してグレモン錠本体のロッド棒取付孔に取付けられるロッド棒とを有し、裏板は、ロッド棒取付孔に向けて山形に設けた傾斜面と、傾斜面の頂部に設けたロッド棒挿通孔を有することを特徴とする戸。
【発明の詳細な説明】
【技術分野】
【０００１】
本発明は、グレモン錠を備える戸に関する。
【背景技術】
【０００２】
従来、戸にグレモン錠を取付ける際には、竪框の長手方向中間部にグレモン錠本体を裏板を使用して取付けた後、竪框の上下の小口より竪框内にロッド棒を差し入れ、ロッド棒先端部をグレモン錠本体のロッド棒取付孔に取付けている。
ロッド棒は非常に長く、尚且つ竪框の小口からのぞき込んでもグレモン錠本体のロッド棒取付孔の位置を確認しづらいため、ロッド棒の取付けに手間取っていた。
【発明の概要】
【発明が解決しようとする課題】
【０００３】
本発明は以上に述べた実情に鑑み、グレモン錠のロッド棒の取付けが簡易に行える戸の提供を目的とする。
【課題を解決するための手段】
【０００４】
上記の課題を達成するために請求項１記載の発明による戸は、グレモン錠とグレモン錠取付用の裏板を備え、グレモン錠は、竪框の長手方向中間部に裏板を使用して取付けられるグレモン錠本体と、竪框の小口より竪框内に挿入してグレモン錠本体のロッド棒取付孔に取付けられるロッド棒とを有し、裏板は、ロッド棒取付孔に向けて山形に設けた傾斜面と、傾斜面の頂部に設けたロッド棒挿通孔を有することを特徴とする。
【発明の効果】
【０００５】
請求項１記載の発明による戸は、グレモン錠取付用の裏板に、ロッド棒取付孔に向けて山形に設けた傾斜面と、傾斜面の頂部に設けたロッド棒挿通孔を有しているので、ロッド棒の取付け時に竪框の小口より挿入したロッド棒の先端が、裏板の傾斜面とロッド棒挿通孔によりロッド棒取付孔に誘導されるため、ロッド棒の取付けが極めて簡易に行える。
【図面の簡単な説明】
【０００６】
【図１】グレモン錠の取付部分を一部切り欠きして示す室内側正面図である。
【図２】本発明の戸の一実施形態を示す室内側正面図である。
【図３】図２のＡ−Ａ断面図である。
【図４】図２のＢ−Ｂ断面図である。
【図５】グレモン錠の取付け手順を示す室内側正面図である。
【図６】（ａ）は裏板の平面図、（ｂ）は裏板の室内側正面図、（ｃ）は裏板の戸先側側面図である。
【発明を実施するための形態】
【０００７】
以下、本発明の実施の形態を図面に基づいて説明する。図１〜４は、本発明の戸の一実施形態であって、建物の出入口に設置されるドア１に適用した場合を示している。本ドア１は、躯体開口部に取付けられるドア枠２と、ドア枠２に開閉自在に取付けた扉体３とを備える。
ドア枠２は、上枠１２と下枠１３と左右の竪枠２０，２０を四周枠組みして構成してある。ドア枠２の内周側には、図３，４に示すように、扉体３の室内側面に当接するタイト材１４ａ，１４ｂが設けてある。
扉体３は、上框１５と下框１６と戸先框６と吊元框１７とを四周框組みし、その内側にガラスパネル（複層ガラス）１８を納めて構成してある。扉体３は、吊元框１７を蝶番１９により一方の竪枠２０に取付けてあり、室外側に回動して開くようになっている。戸先框６には、グレモン錠４とハンドル２１が取付けてある。
【０００８】
グレモン錠４は、図１〜３に示すように、戸先框６の長手方向中間部に取付けたグレモン錠本体７と、戸先框６の上下の小口より戸先框６内に挿入してグレモン錠本体７のロッド棒取付孔８ａ，８ｂに取付けた上下のロッド棒９ａ，９ｂとを有し、ハンドル２１を下向きにしたときに上下のロッド棒９ａ，９ｂの先端部が戸先框６の上下端より突出して上枠１２と下枠１３に設けたロッド棒受け２２ａ，２２ｂに係合し、扉体３の戸先側の上部と下部を室内側に引き寄せて施錠する。さらにグレモン錠本体７には、室外側からはキー操作により、室内側からはサムターン２３の操作により戸先側に出没するデッドボルト２４を有し、デッドボルト２４が竪枠２０の錠受け３４に係合することによって、扉体３が二重に施錠される。キー操作又はサムターン２３の操作によりデッドボルト２４を引っ込めた上で、ハンドル２１を上向きに回動させると、上側のロッド棒９ａは下方に、下側のロッド棒９ｂは上方にそれぞれスライドしてロッド棒受け２２ａ，２２ｂから抜け、扉体３を開けることができる。
【０００９】
図１，２に示すように、戸先框６の中空部２５内のグレモン錠本体７の上方と下方に隣接する位置には、グレモン錠取付け用の裏板５，５が設けてある。各裏板５は、金属の板をＭ字形に曲げて形成してあり、グレモン錠本体７のロッド棒取付孔８ａ，８ｂに向けて山形に設けた二つの傾斜面１０ａ，１０ｂと、二つの傾斜面１０ａ，１０ｂの両側に設けた一対の垂直壁２６ａ，２６ｂとを有している。裏板５は、図４に示すように、戸先框６の中空部２５に対して若干余裕をもって納まり、戸先側の垂直壁２６ａに雌ネジ孔２７ａ，２７ｂ，２７ｂが３箇所に設けてあり（図６参照）、中央の雌ネジ孔２７ａに螺入するビス３１により戸先框６に固定されている。山形に設けた二つの傾斜面１０ａ，１０ｂの頂部には、ロッド棒挿通孔１１が設けてある。ロッド棒挿通孔１１は、グレモン錠本体７のロッド棒取付孔８ａ，８ｂの真上と真下に位置している。
【００１０】
グレモン錠本体７は、縦長の錠箱２８の戸先側の側面に取付板２９が設けてあり、戸先框６の戸先側面に形成した孔３０より錠箱２８部分を戸先框６の中空部２５内に挿入し、取付板２９を裏板５の垂直壁２６ａに形成した左右の雌ネジ孔２７ｂに螺入するビス３２で固定している。  
上側のロッド棒９ａの下端部と下側のロッド棒９ｂの上端部には雄ネジ部３３が形成してあり、グレモン錠本体７のロッド棒取付孔８ａ，８ｂは雌ネジ孔になっており、各ロッド棒９ａ，９ｂは軸回りに回転させることで雄ネジ部３３をロッド棒取付孔８ａ，８ｂに捩じ込んで取付けている。戸先框６の上端部と下端部には小口キャップ（図示省略）を取付けて小口を塞いであり、小口キャップによりロッド棒９ａ，９ｂの上下端部が振れないようにガイドしてある。
【００１１】
次に、グレモン錠４の取付手順を図５に即して説明する。まず、扉体３をドア枠２に取付ける前の状態で、図５（ａ）に示すように、戸先框６の上下の小口より裏板５，５を傾斜面１０ａ，１０ｂの頂部を内側に向けた状態で戸先框６の中空部２５内に挿入し、所定の位置までスライドさせてビス３１で固定する。裏板５を挿入する際、裏板５の一対の垂直壁２６ａ，２６ｂが中空部２５の内壁に案内されるため、裏板５の転びが規制される。次に、図５（ｂ）に示すように、グレモン錠本体７の錠箱２８部分を戸先側の孔３０より中空部２５内に挿入し、取付板２９を裏板５の雌ネジ孔２７ｂに螺入するビス３２で固定する。その後、図５（ｃ）に示すように、上下のロッド棒９ａ，９ｂを戸先框６の上下の小口より中空部２５内に挿入すると、挿入したロッド棒９ａ，９ｂの先端が裏板５の山形の傾斜面１０ａ，１０ｂに押し当てられ、山形の傾斜面１０ａ，１０ｂの頂部にロッド棒挿通孔１１が設けてあるので、ロッド棒９ａ，９ｂをロッド棒挿通孔１１に難なく挿通でき、これに伴ってロッド棒９ａ，９ｂ先端の雄ネジ部２７がグレモン錠本体７のロッド棒取付孔８ａ，８ｂに向けてに自動的に位置決めされるので、後はロッド棒９ａ，９ｂをさらにまっすぐ押し込み、図５（ｄ）に示すように、ロッド棒９ａ，９ｂを軸回りに回転させて雄ネジ部２７をグレモン錠本体７のロッド棒取付孔８ａ，８ｂに捩じ込む。
【００１２】
以上に述べたように本ドア１は、グレモン錠取付用の裏板５に、ロッド棒取付孔８ａ，８ｂに向けて山形に設けた二つの傾斜面１０ａ，１０ｂと、二つの傾斜面１０ａ，１０ｂの頂部に設けたロッド棒挿通孔１１を有しているので、ロッド棒９ａ，９ｂの取付け時に戸先框６の小口より挿入したロッド棒９ａ，９ｂの先端が、裏板５の二つの傾斜面１０ａ，１０ｂとロッド棒挿通孔１１によりロッド棒取付孔８ａ，８ｂに誘導されるため、ロッド棒９ａ，９ｂの取付けが極めて簡易に行える。裏板５は、金属板に孔加工をしてＭ字形に曲げるだけで、安価に製作できる。さらに裏板５は、戸先框６の中空部２５の内壁に案内される垂直壁２６ａ，２６ｂを有しているので、挿入時に回転することがなく、取付けが容易に行える。
【００１３】
本発明は以上に述べた実施形態に限定されない。裏板５は、傾斜面が漏斗状に形成してあってもよい。本発明は、開き戸に限らず、引戸に適用することもできる。また、出入口用の戸に限らず、窓用の戸に用いることもできる。グレモン錠自体の構造は任意である。
【符号の説明】
【００１４】
１  ドア（戸）
２  ドア枠
３  扉体
４  グレモン錠
５  裏板
６  戸先框（竪框）
７  グレモン錠本体
８ａ，８ｂ  ロッド棒取付孔
９ａ，９ｂ  ロッド棒
１０ａ，１０ｂ  傾斜面
１１  ロッド棒挿通孔  
【図１】
0005663398.tif 000002
【図２】
0005663398.tif 000003
【図３】
0005663398.tif 000004
【図４】
0005663398.tif 000005
【図５】
0005663398.tif 000006
【図６】
0005663398.tif 000007